(57)【要約】  【課題】造作のための内装工事に頼らず、オフィス等においてイベントインフラ環境や空間演出の仕掛けを作り上げることが可能である上に、フラットなコミュニケーションが生まれるような普段使いもでき、組み替えや設置場所の変更等に容易に対応することもできる家具システムを提供する。  【解決手段】複数のモジュール家具１１〜１２、２１〜２３、３１〜３３を組み合わせた段状のユニットであるメインユニット１を具備してなる家具システムＳを採用する。【選択図】図１
2020039823.tif 000002
【特許請求の範囲】
【請求項１】
複数のモジュール家具を組み合わせた段状のユニットを具備してなる家具システム。
【請求項２】
前記複数のモジュール家具には、相互に高さ寸法、幅寸法及び奥行寸法の少なくとも１つが異なったモジュール家具が含まれている請求項１記載の家具システム。
【請求項３】
前記モジュール家具は、上面が床面及び／又はソファ面により構成されたものである請求項１又は２記載の家具システム。
【請求項４】
前記モジュール家具は、内部空間を有した中空体状のものである請求項１、２又は３記載の家具システム。
【請求項５】
前記モジュール家具は、前記内部空間を囲う周壁要素を備えたものであり、少なくとも一部の隣接するモジュール家具の周壁要素同士が連結具を介して連結されている請求項４記載の家具システム。
【請求項６】
前記モジュール家具は、前記内部空間の上を塞ぐ天壁要素を備えたものである請求項４又は５記載の家具システム。
【請求項７】
前記天壁要素は、その一部又は全部が前記床面を構成する床板である請求項６記載の家具システム。
【請求項８】
前記天壁要素は、その一部又は全部が前記ソファ面を構成するクッション体である請求項６又は７記載の家具システム。
【請求項９】
前記クッション体は、装脱可能である請求項８記載の家具システム。
【請求項１０】
最も高位置にある前記モジュール家具の全ての上面は、前記ソファ面により構成されている請求項３記載の家具システム。
【請求項１１】
前記クッション体には、コンセントが添設されている請求項８記載の家具システム。
【請求項１２】
複数のモジュール家具を段状に組み合わせたメインユニットと、このメインユニットの機能を補完するサブユニットとを具備してなる家具システム。
【請求項１３】
前記メインユニットが、前から後に向かって段階的に高くなる段状のものであり、
前記サブユニットが、前記メインユニットの側面に隣接させるサイド配置型のものである請求項１２記載の家具システム。
【請求項１４】
前記サイド配置型のサブユニットが、前記メインユニットの最も低いモジュール家具の上面に連続する上面を備えたステップタイプのモジュール家具を含むものである請求項１３記載の家具システム。
【請求項１５】
前記サイド配置型のサブユニットが、前記メインユニットの最も高いモジュール家具の上面よりも上方に延出した形態をなすガードウォールタイプのモジュール家具を含むものである請求項１３記載の家具システム。
【請求項１６】
前記メインユニットが、前から後に向かって段階的に高くなる段状のものであり、
前記サブユニットが、前記メインユニットの背面に隣接させるバック配置型のものである請求項１２記載の家具システム。
【請求項１７】
前記バック配置型のサブユニットが、前方を向いて使用可能なカウンタタイプのモジュール家具を含むものである請求項１６記載の家具システム。
【請求項１８】
前記バック配置型のサブユニットが、前方を向いて使用可能なキッチンタイプのモジュール家具を含むものである請求項１６記載の家具システム。
【請求項１９】
前記サブユニットが、手摺を備えた手摺タイプのものである請求項１２記載の家具システム。
【請求項２０】
前記サブユニットが、ローパーティションタイプのものである請求項１２記載の家具システム。
【発明の詳細な説明】
【技術分野】
【０００１】
本発明は、オフィス等で好適に使用される家具システムに関する。
【背景技術】
【０００２】
近年、比較的大規模なオフィスを中心に高低差のあるイベントスペースを造作により作る事例が増加傾向にある（例えば。非特許文献１を参照）。
【０００３】
ところが、このようなイベントスペースを造作により構築する際には、現場での大工仕事等が不可欠であり、完成までに時間がかかるという問題がある上に、造作により構築されたものの場所を移動させたり撤去したりするにもそれなりに工期が必要となる。
【０００４】
また、造作によるものは、初期デザインに対応する一定の形態を備えており、各種の事情に応じてその形態を変化させることが困難である。
【先行技術文献】
【非特許文献】
【０００５】
【非特許文献１】アクセルマーク株式会社、“働く環境−オフィス環境｜アクセルマーク株式会社”、[online]、平成30年、アクセルマーク株式会社、［平成30年8月7日検索］、インターネット<URL: https://saiyo.axelmark.co.jp/office/ >
【発明の概要】
【発明が解決しようとする課題】
【０００６】
本発明は、造作のための内装工事に頼らず、オフィス等においてイベントインフラ環境や空間演出の仕掛けを作り上げることを実現するためのものである。
【課題を解決するための手段】
【０００７】
請求項１記載の発明に係る家具システムは、複数のモジュール家具を組み合わせた段状のユニットを具備してなるものである。
【０００８】
請求項２記載の発明に係る家具システムは、請求項１記載の構成のものにおいて、前記複数のモジュール家具には、相互に高さ寸法、幅寸法及び奥行寸法の少なくとも１つが異なったモジュール家具が含まれているものである。
【０００９】
請求項３記載の発明に係る家具システムは、請求項１又は２記載の構成のものにおいて、前記モジュール家具が、上面が床面及び／又はソファ面により構成されたものである。
【００１０】
請求項４記載の発明に係る家具システムは、請求項１、２又は３記載の構成のものにおいて、前記モジュール家具が、内部空間を有した中空体状のものである。
【００１１】
請求項５記載の発明に係る家具システムは、請求項４記載の構成のものにおいて、前記モジュール家具が、前記内部空間を囲う周壁要素を備えたものであり、少なくとも一部の隣接するモジュール家具の周壁要素同士が連結具を介して連結されているものである。
【００１２】
請求項６記載の発明に係る家具システムは、請求項４又は５記載の構成のものにおいて、前記モジュール家具が、前記内部空間の上を塞ぐ天壁要素を備えたものである。
【００１３】
請求項７記載の発明に係る家具システムは、請求項６記載の構成のものにおいて、前記天壁要素の一部又は全部が前記床面を構成する床板である。
【００１４】
請求項８記載の発明に係る家具システムは、請求項６又は７記載の構成のものにおいて、前記天壁要素の一部又は全部が前記ソファ面を構成するクッション体である。
【００１５】
請求項９記載の発明に係る家具システムは、請求項８記載の構成のものにおいて、前記クッション体が装脱可能である。
【００１６】
請求項１０記載の発明に係る家具システムは、請求項３記載の構成のものにおいて、最も高位置にある前記モジュール家具の全ての上面が前記ソファ面により構成されているものである。
【００１７】
請求項１１記載の発明に係る家具システムは、請求項８記載の構成のものにおいて、前記クッション体にコンセントが添設されているものである。
【００１８】
請求項１２記載の発明に係る家具システムは、複数のモジュール家具を段状に組み合わせたメインユニットと、このメインユニットの機能を補完するサブユニットとを具備してなるものである。
【００１９】
請求項１３記載の発明に係る家具システムは、請求項１２記載の構成のものにおいて、前記メインユニットが、前から後に向かって段階的に高くなる段状のものであり、前記サブユニットが、前記メインユニットの側面に隣接させるサイド配置型のものである。
【００２０】
請求項１４記載の発明に係る家具システムは、請求項１３記載の構成のものにおいて、前記サイド配置型のサブユニットが、前記メインユニットの最も低いモジュール家具の上面に連続する上面を備えたステップタイプのモジュール家具を含むものである。
【００２１】
請求項１５記載の発明に係る家具システムは、請求項１３記載の構成のものにおいて、前記サイド配置型のサブユニットが、前記メインユニットの最も高いモジュール家具の上面よりも上方に延出した形態をなすガードウォールタイプのモジュール家具を含むものである。
【００２２】
請求項１６記載の発明に係る家具システムは、請求項１２記載の構成のものにおいて、前記メインユニットが、前から後に向かって段階的に高くなる段状のものであり、前記サブユニットが、前記メインユニットの背面に隣接させるバック配置型のものである。
【００２３】
請求項１７記載の発明に係る家具システムは、請求項１６記載の構成のものにおいて、前記バック配置型のサブユニットが、前方を向いて使用可能なカウンタタイプのモジュール家具を含むものである請求項１６記載の家具システム。
【００２４】
請求項１８記載の発明に係る家具システムは、請求項１６記載の構成のものにおいて、前記バック配置型のサブユニットが、前方を向いて使用可能なキッチンタイプのモジュール家具を含むものである。
【００２５】
請求項１９記載の発明に係る家具システムは、請求項１２記載の構成のものにおいて、前記サブユニットが、手摺を備えた手摺タイプのものである。
【００２６】
請求項２０記載の発明に係る家具システムは、請求項１２記載の構成のものにおいて、前記サブユニットが、ローパーティションタイプのものである。
【発明の効果】
【００２７】
本発明によれば、造作のための内装工事に頼らず、オフィス等においてイベントインフラ環境や空間演出の仕掛けを比較的迅速に作り上げることができる上に、組み替えや設置場所の変更等に容易に対応することができる家具システムを提供することができる。
【図面の簡単な説明】
【００２８】
【図１】本発明の一実施形態に係る家具システムを示す斜視図。
【図２】同実施形態に係る家具システムを示す斜視図。
【図３】同実施形態に係る家具システムを示す平面図。
【図４】同実施形態に係る家具システムを示す左側面図。
【図５】同実施形態に係る家具システムを示す中央側断面図。
【図６】同実施形態に係る家具システムを示す分解斜視図。
【図７】同実施形態に係るモジュール家具の接続の態様を示す図。
【図８】図５における要部を拡大して示す図。
【図９】同実施形態のメインユニットを構成するモジュール家具を示す説明図。
【図１０】同実施形態のメインユニットを構成するモジュール家具を示す説明図。
【図１１】同実施形態のメインユニットを構成するモジュール家具を示す説明図。
【図１２】同実施形態のメインユニットを構成するモジュール家具を示す説明図。
【図１３】同実施形態のメインユニットを構成するモジュール家具を示す説明図。
【図１４】同実施形態のメインユニットを構成するモジュール家具を示す説明図。
【図１５】同実施形態のメインユニットを構成するモジュール家具を示す説明図。
【図１６】同実施形態のメインユニットを構成するモジュール家具を示す説明図。
【図１７】同実施形態のサブユニットを構成するモジュール家具を示す説明図。
【図１８】同実施形態のサブユニットを構成するモジュール家具を示す説明図。
【図１９】同実施形態のサブユニットを構成するモジュール家具を示す説明図。
【図２０】同実施形態のサブユニットを構成するモジュール家具を示す説明図。
【図２１】同実施形態のサブユニットを構成するモジュール家具を示す説明図。
【図２２】本発明の他の実施形態に係る家具システムを示す平面図。
【図２３】本発明の他の実施形態に係る家具システムを示す斜視図。
【図２４】本発明の他の実施形態に係る家具システムを示す斜視図。
【図２５】本発明の他の実施形態に係る家具システムを示す斜視図。
【図２６】本発明の他の実施形態を構成するモジュール家具を示す説明図。
【図２７】本発明の他の実施形態を構成するモジュール家具を示す説明図。
【図２８】本発明の他の実施形態を構成するモジュール家具を示す説明図。
【発明を実施するための形態】
【００２９】
≪第一の実施形態≫
本発明の第一の実施形態を、図１〜図２１を参照しつつ以下に述べる。
【００３０】
この実施形態の家具システムＳは、例えばオフィスのフロア等における中央領域に配置されるセンター設置形態のものであり、図１〜図６に示すように、複数のモジュール家具１１〜１２、２１〜２３、３１〜３３を組み合わせた段状のユニット１を具備してなる。これら複数のモジュール家具１１〜１２、２１〜２３、３１〜３３には、相互に高さ寸法、幅寸法及び奥行寸法の少なくとも１つが異なったモジュール家具が含まれている。なお、この家具システムＳにおいては、例えば６００ｍｍを１モジュール（Ｍ）と定め、各モジュール家具１１〜１２、２１〜２３、３１〜３３の幅寸法及び奥行き寸法は１モジュール（Ｍ）の整数倍に設定されている。また、階段状に配されたモジュール家具１１〜１２、２１〜２３、３１〜３３により形成される階段の基本的な段差（以下、階段ピッチ寸法（Ｈ）と称する）は例えば２５０ｍｍに設定されている。
【００３１】
詳述すれば、この家具システムＳは、図１〜ず３に示すように、中核をなし前から後に向かって段階的に高くなる段状のメインユニット１と、このメインユニット１の機能を補完するサブユニット２Ａ、２Ｂ、３とを具備してなる。本実施形態では、サブユニットとして、メインユニット１の両側面にそれぞれ隣接されるサイド配置型のサブユニット２Ａ、２Ｂと、メインユニット１の背面に隣接させるバック配置型のサブユニット３とが採用されている。
【００３２】
本実施形態を示す図１は、家具システムＳ全体を示す前上側からの斜視図である。図２は、家具システムＳ全体を示す後上側からの斜視図である。図３の（ａ）は、家具システムＳ全体を示す平面図であり、同図の（ｂ）は、メインユニット１とサブユニット２、３とを分離して示す模式的な平面図である。図４は家具システムＳ全体を示す左側面図であり、図５は同中央側断面図である。図６は家具システムＳ全体を示す分解斜視図であり、後述するクッション体１２７、２１７、２３７、３１７、３３７を周壁要素１２１、２１１、２３１、３１１、３３１から離脱させて内部空間１２ｓ、２１ｓ、２３ｓ、３１ｓ、３３ｓを示している。図７は後述する特定のモジュール家具２２、２３を示す分解斜視図である。図８は図５における矢印Ｘ部分を拡大して示す拡大断面図である。図９〜図２１はそれぞれモジュール家具１１〜１２、２１〜２３、３１〜３３、５１〜５２、６１〜６３を示す投影図である。これらの投影図には、正面図、左側面図、平面図、底面図、背面図、正面側からの斜視図及び背面側からの斜視図が含まれている。なお、図１７及び図１９〜図２１については、該当するモジュール家具５１、６１〜６３の利用者に向かう側を正面としている。
【００３３】
＜メインユニット１の構成＞
この実施形態のメインユニット１は、例えば、図３に示すように、複数の縦列領域、具体的には、第１の縦列領域１ａと、第２の縦列領域１ｂと、第３の縦列領域１ｃとに区画されており、各縦列領域１ａ〜１ｃにそれぞれ複数のモジュール家具１１〜１２、２１〜２３、３１〜３３が前後方向に隣接させて配置されている。
【００３４】
メインユニット１の第１の縦列領域１ａ（正面視左端の縦列領域）には、１段目のモジュール家具１１と、この１段目のモジュール家具１１の後に配された２段目のモジュール家具１２とが配されている。
【００３５】
１段目のモジュール家具１１は、ステップタイプのものであり、主に図４及び図９に示されるように、内部空間１１ｓを有した中空体状をなしており、内部空間１１ｓを囲う周壁要素１１１と、内部空間１１ｓの上を塞ぐ天壁要素１１２を備えている。周壁要素１１１は、内部空間１１ｓの前を塞ぐ前面材１１３と、内部空間１１ｓの左右をそれぞれ塞ぐ左右の側面材１１４と、内部空間１１ｓの後を塞ぐ背面材１１５とにより構成されている。また、このモジュール家具１１の上面は床面１１ｆにより構成されており、天壁要素１１１は、床面１１ｆを構成する床板１１６のみにより構成されている。この床板１１６の上面、すなわちこのモジュール家具１１の床面１１ｆは特殊強化メラミンにより形成されている。このモジュール家具１１の幅寸法は２モジュール（２Ｍ）に、また奥行き寸法は１モジュール（Ｍ）にそれぞれ設定されている。また、このモジュール家具１１の高さ寸法は、前述した階段ピッチ寸法（Ｈ）に対応させている。より具体的には、このモジュール家具１１の上面（床面１１ｆ）からオフィス床面Ｆまでの離間距離が例えば２５０ｍｍとなるように設定されている。なお、このモジュール家具１１の下面にはアジャスタ１１ａが設けられているため、その高さ寸法は微少な範囲で調節が可能である。
【００３６】
２段目のモジュール家具１２は、奥行き寸法が大きなソファタイプであるカウチタイプのものであり、主に図４及び図１０に示されるように、内部空間１２ｓを有した中空体状をなしており、内部空間１２ｓを囲う周壁要素１２１と、内部空間１２ｓの上を塞ぐ天壁要素１２２を備えている。周壁要素１２１は、内部空間１２ｓの前を塞ぐ前面材１２３と、内部空間１２ｓの左右をそれぞれ塞ぐ左右の側面材１２４と、内部空間１２ｓを後方に解放すべく設けられた後枠材１２５とにより構成されている。また、このモジュール家具１２の上面はソファ面１２ｍにより構成されており、天壁要素１２２は、ソファ面１２ｍを構成するクッション体１２７のみにより構成されている。このクッション体１２７は、下方に開口した扁平箱型の芯材１２８と、この芯材１２８の上面及び周面に添接させた図示しないクッション材と、このクッション材を被覆する張地１２９とを備えており、この張地１２９の上面がソファ面１２ｍを形成している。このクッション体１２７は周壁要素１２１に対して挿脱可能であり、装着時の位置決めは、周壁要素１２１の角部内面から上方に突設した位置決め突起１２ｔをクッション体１２７の芯材１２８の角部内面１２８ａに嵌合させることにより行われている。図６は、クッション体１２７を周壁要素１２１から離脱させて内部空間１２ｓが上方に解放された状態を示している。このモジュール家具１２の幅寸法は２モジュール（２Ｍ）に、また奥行き寸法は２モジュール（２Ｍ）にそれぞれ設定されている。また、このモジュール家具１２の高さ寸法は、周壁要素１２１の高さ寸法とクッション体１２７の高さ寸法とを加えた値であるが、周壁要素１２１の高さ寸法は前述した階段ピッチ寸法の２倍（２Ｈ）に設定されており、クッション体１２７の高さ寸法は階段ピッチ寸法（Ｈ）よりも若干小さな値に設定されている。なお、このモジュール家具１２の下面にはアジャスタ１２ａが設けられているため、その高さ寸法は微少な範囲で調節が可能である。また、このモジュール家具１２のクッション体１２７には、コンセント１２０が添接されている。具体的には、このコンセント１２０は、電源端子１２０ａとＵＳＢ端子１２０ｂとを２口ずつ備えたもので、周壁要素１２１の後枠材１２５に固定され、クッション体１２７の背面中央部に設けた凹陥部１２７ｘ内に配されている。このコンセントの電源端子１２０ａ及びＵＳＢ端子１２０ｂは、クッション体１２７の上面（ソファ面１２ｍ）側に表出しており、上からこれら端子１２０ａ、１２０ｂに図示しないプラグを装着することができるようになっている。コンセント１２０に電力や通信信号を供給するケーブル１２ｃは、内部空間１２ｓを通してオフィス床面Ｆ等の上に垂下させてあり、そのオフィス床面Ｆに沿って必要な箇所に導かれている。内部空間１２ｓの底には、ケーブル１２ｃ等を接続するための図示しないコンセント等を配してもよい。
【００３７】
メインユニットの第２の縦列領域１ｂ（正面視中央の縦列領域）には、１段目のモジュール家具２１と、この１段目のモジュール家具２１の後に配された２段目のモジュール家具２２と、この２段目のモジュール家具２２の後に配された３段目のモジュール家具２３とが配されている。
【００３８】
１段目のモジュール家具２１は、ステップタイプとソファタイプとを兼ね備えたものであり、主に図５及び図１１に示されるように、内部空間２１ｓを有した中空体状をなしており、内部空間２１ｓを囲う周壁要素２１１と、内部空間２１ｓの上を塞ぐ天壁要素２１２を備えている。周壁要素２１１は、内部空間２１ｓの前を塞ぐ前面材２１３と、内部空間２１ｓの左右をそれぞれ塞ぐ左右の側面材２１４と、内部空間２１ｓの後を塞ぐ背面材２１５とにより構成されている。また、このモジュール家具２１の上面の一部、換言すれば１モジュール分は床面２１ｆにより構成されており他の２モジュール分はソファ面２１ｍにより構成されている。天壁要素２１１の１モジュール分は、床面２１ｆを構成する床板２１６により構成されている。この床板２１６の上面、すなわちこのモジュール家具２１の床面２１ｆは特殊強化メラミンにより形成されている。天壁要素２１１の他の２モジュール分は、ソファ面２１ｍを構成するクッション体２１７により構成されている。このクッション体２１７は、下方に開口した扁平箱型の芯材２１８と、この芯材２１８の上面及び周面に添接させたクッション材２１Ｎと、このクッション材２１Ｎを被覆する張地２１９とを備えており、この張地２１９の上面がソファ面２１ｍを形成している。このクッション体２１７は周壁要素２１１に対して挿脱可能であり、装着時の位置決めは、周壁要素２１１の右側角部及び中間部内面から上方に突設した位置決め突起２１ｔをクッション体２１７の芯材２１８の角部内面２１８ａに嵌合させることにより行われている。このモジュール家具２１の幅寸法は３モジュール（３Ｍ）に、また奥行き寸法は１モジュール（Ｍ）にそれぞれ設定されている。また、このモジュール家具２１の高さ寸法は、前述した階段ピッチ寸法（Ｈ）に対応させている。より具体的には、床面２１ｆ（床板２１６の上面）からオフィス床面までの離間距離が例えば２５０ｍｍとなるように設定されている。また、クッション体２１７を配した部分の周壁要素２１１の高さ寸法は前述した階段ピッチ寸法（Ｈ）に設定されており、クッション体２１７の高さ寸法は階段ピッチ寸法（Ｈ）よりも若干小さな値に設定されている。なお、このモジュール家具２１の下面にはアジャスタ２１ａが設けられているため、その高さ寸法は微少な範囲で調節が可能である。さらに、このモジュール家具２１のクッション体２１７には、コンセント２１０が添接されている。具体的には、このコンセント２１０は、第１の縦列領域１ａの２段目のモジュール家具１２に備えられたものと同様のもので、周壁要素２１１の背面材２１５に固定され、クッション体２１７の背面中央部に設けた凹陥部２１７ｘ内に配されている。このコンセント２１０の電源端子２１０ａ及びＵＳＢ端子２１０ｂは、クッション体２１７の上面側に表出しており、上からこれら端子２１０ａ、２１０ｂに図示しないプラグを装着することができるようになっている。コンセント２１０に電力や通信信号を供給するケーブル２１ｃは、内部空間２１ｓを通してオフィス床面Ｆ等の上に垂下させてあり、そのオフィス床面Ｆに沿って必要な箇所に導かれている。内部空間２１ｓの底には、ケーブル２１ｃ等を接続するための図示しないコンセント等を配してもよい。
【００３９】
２段目のモジュール家具２２は、ステップタイプのものであり、主に図５、図７、図８及び図１２に示されるように、内部空間２２ｓを有した中空体状をなしており、内部空間２２ｓを囲う周壁要素２２１と、内部空間２２ｓの上を塞ぐ天壁要素２２２を備えている。周壁要素２２１は、内部空間２２ｓの前を塞ぐ前面材２２３と、内部空間２２ｓの左右をそれぞれ塞ぐ左右の側面材２２４と、内部空間２２ｓを後方に解放すべく設けられた後枠材２２５とにより構成されている。また、このモジュール家具２２の上面は床面２２ｆにより構成されており、天壁要素２２２は、床面２２ｆを構成する床板２２６のみにより構成されている。この床板２２６の上面、すなわちこのモジュール家具２２の床面２２ｆは特殊強化メラミンにより形成されている。このモジュール家具２２の幅寸法は３モジュール（３Ｍ）に、また奥行き寸法は１モジュール（Ｍ）にそれぞれ設定されている。また、このモジュール家具２２の高さ寸法は、前述した階段ピッチ寸法（Ｈ）の２倍に対応させている。より具体的には、このモジュール家具２２の上面（床面２２ｆ）からオフィス床面までの離間距離が例えば５００ｍｍとなるように設定されている。なお、このモジュール家具２２の下面にはアジャスタ２２ａが設けられているため、その高さ寸法は微少な範囲で調節が可能である。
【００４０】
３段目のモジュール家具２３は、ソファタイプのものであり、主に図５、図７、図８及び図１３に示されるように、内部空間２３ｓを有した中空体状をなしており、内部空間２３ｓを囲う周壁要素２３１と、内部空間２３ｓの上を塞ぐ天壁要素２３２を備えている。周壁要素２３１は、内部空間２３ｓの上部の前を塞ぐ前面材２３３と、内部空間２３ｓの下部を前方に解放すべく設けられた前枠材２３Ｆと、内部空間２３ｓの左右をそれぞれ塞ぐ左右の側面材２３４と、内部空間２３ｓを後方に解放すべく設けられた後枠材２３５とにより構成されている。また、このモジュール家具２３の上面はソファ面２３ｍにより構成されており、天壁要素２３２は、ソファ面２３ｍを構成するクッション体２３７のみにより構成されている。このクッション体２３７は、下方に開口した扁平箱型の芯材２３８と、この芯材２３８の上面及び周面に添接させたクッション材２３Ｎと、このクッション材２３Ｎを被覆する張地２３９とを備えており、この張地２３９の上面がソファ面２３ｍを形成している。このクッション体２３７は周壁要素２３１に対して挿脱可能であり、装着時の位置決めは、周壁要素２３１の角部内面から上方に突設した位置決め突起２３ｔをクッション体２３７の芯材２３８の角部内面２３８ａに嵌合させることにより行われている。このモジュール家具２３の幅寸法は３モジュール（３Ｍ）に、また奥行き寸法は１モジュール（Ｍ）にそれぞれ設定されている。また、このモジュール家具２３の高さ寸法は、周壁要素２３１の高さ寸法とクッション体２３７の高さ寸法とを加えた値であるが、周壁要素２３１の高さ寸法は前述した階段ピッチ寸法の３倍（３Ｈ）に設定されており、クッション体２３７の高さ寸法は階段ピッチ寸法よりも若干小さな値に設定されている。なお、このモジュール家具２３の下面にはアジャスタ２３ａが設けられているため、その高さ寸法は微少な範囲で調節が可能である。さらに、このモジュール家具２３のクッション体２３７には、コンセント２３０が添接されている。具体的には、このコンセント２３０は、第１の縦列領域１ａの２段目のモジュール家具１２に備えられたものと同様のもので、周壁要素２３１の後枠材２３５に固定され、クッション体２３７の背面中央部に設けた凹陥部２３７ｘ内に配されている。このコンセント２３０の電源端子２３０ａ及びＵＳＢ端子２３０ｂは、クッション体の上面側に表出しており、上からこれら端子に図示しないプラグを装着することができるようになっている。コンセントに電力や通信信号を供給するケーブル２３ｃは、内部空間を通してオフィス床面上に垂下させてあり、そのオフィス床面に沿って必要な箇所に導かれている。内部空間２３ｓの底には、ケーブル等を接続するための図示しないコンセント等を配してもよい。
【００４１】
メインユニットの第３の縦列領域１ｃ（正面視右端の縦列領域）には、１段目のモジュール家具３１と、この１段目のモジュール家具３１の後に配された２段目のモジュール家具３２と、この２段目のモジュール家具３２の後に配された３段目のモジュール家具３３とが配されている。
【００４２】
１段目のモジュール家具３１は、ソファタイプのものであり、主に図１４に示されるように、内部空間３１ｓを有した中空体状をなしており、内部空間３１ｓを囲う周壁要素３１１と、内部空間３１ｓの上を塞ぐ天壁要素３１２を備えている。周壁要素３１１は、内部空間３１ｓの前を塞ぐ前面材３１３と、内部空間３１ｓの左右をそれぞれ塞ぐ左右の側面材３１４と、内部空間３１ｓの後を塞ぐ背面材３１５とにより構成されている。また、このモジュール家具３１の上面はソファ面３１ｍにより構成されており、天壁要素３１２は、ソファ面３１ｍを構成するクッション体３１７のみにより構成されている。このクッション体３１７は、下方に開口した扁平箱型の芯材３１８と、この芯材３１８の上面及び周面に添接させた図示しないクッション材と、このクッション材を被覆する張地３１９とを備えており、この張地３１９の上面がソファ面３１ｍを形成している。このクッション体３１７は周壁要素３１１に対して挿脱可能であり、装着時の位置決めは、周壁要素３１１の角部内面から上方に突設した位置決め突起３１ｔをクッション体３１７の芯材３１８の角部内面３１８ａに嵌合させることにより行われている。このモジュール家具３１の幅寸法は２モジュール（２Ｍ）に、また奥行き寸法は１モジュール（Ｍ）にそれぞれ設定されている。また、このモジュール家具３１の高さ寸法は、周壁要素３１１の高さ寸法とクッション体３１７の高さ寸法とを加えた値であるが、周壁要素３１１の高さ寸法は前述した階段ピッチ寸法（Ｈ）に設定されており、クッション体３１７の高さ寸法は階段ピッチ寸法（Ｈ）よりも若干小さな値に設定されている。なお、このモジュール家具３１の下面にはアジャスタ３１ａが設けられているため、その高さ寸法は微少な範囲で調節が可能である。さらに、このモジュール家具３１のクッション体３１７には、コンセント３１０が添接されている。具体的には、このコンセント３１０は、第１の縦列領域１ａの２段目のモジュール家具１２に備えられたものと同様のもので、周壁要素３１１の背面材３１５に固定され、クッション体３１７の背面中央部に設けた凹陥部３１７ｘ内に配されている。このコンセント３１０の電源端子３１０ａ及びＵＳＢ端子３１０ｂは、クッション体３１７の上面（ソファ面３１ｍ）側に表出しており、上からこれら端子３１０ａ、３１０ｂに図示しないプラグを装着することができるようになっている。コンセント３１０に電力や通信信号を供給するケーブル３１ｃは、内部空間３１ｓを通してオフィス床面Ｆ等の上に垂下させてあり、そのオフィス床面Ｆに沿って必要な箇所に導かれている。内部空間３１ｓの底には、ケーブル３１ｃ等を接続するための図示しないコンセント等を配してもよい。
【００４３】
２段目のモジュール家具３２は、ステップタイプのものであり、主に図１５に示されるように、内部空間３２ｓを有した中空体状をなしており、内部空間３２ｓを囲う周壁要素３２１と、内部空間３２ｓの上を塞ぐ天壁要素３２２を備えている。周壁要素３２１は、内部空間３２ｓの前を塞ぐ前面材３２３と、内部空間３２ｓの左右をそれぞれ塞ぐ左右の側面材３２４と、内部空間３２ｓを後方に解放すべく設けられた後枠材３２５とにより構成されている。また、このモジュール家具３２の上面は床面３２ｆにより構成されており、天壁要素３２２は、床面３２ｆを構成する床板３２６のみにより構成されている。この床板３２６の上面、すなわちこのモジュール家具３２の床面３２ｆは特殊強化メラミンにより形成されている。このモジュール家具３２の幅寸法は２モジュール（２Ｍ）に、また奥行き寸法は１モジュール（Ｍ）にそれぞれ設定されている。また、このモジュール家具３２の高さ寸法は、前述した階段ピッチ寸法（Ｈ）の２倍に対応させている。より具体的には、このモジュール家具３２の上面（床面３２ｆ）からオフィス床面までの離間距離が例えば５００ｍｍとなるように設定されている。なお、このモジュール家具３２の下面にはアジャスタ３２ａが設けられているため、その高さ寸法は微少な範囲で調節が可能である。
【００４４】
３段目のモジュール家具３３は、ソファタイプのものであり、主に図１６に示されるように、内部空間３３ｓを有した中空体状をなしており、内部空間３３ｓを囲う周壁要素３３１と、内部空間３３ｓの上を塞ぐ天壁要素３３２を備えている。周壁要素３３１は、内部空間３３ｓの上部の前を塞ぐ前面材３３３と、内部空間３３ｓの下部を前方に解放すべく設けられた前枠材３３Ｆと、内部空間３３ｓの左右をそれぞれ塞ぐ左右の側面材３３４と、内部空間３３ｓを後方に解放すべく設けられた後枠材３３５とにより構成されている。また、このモジュール家具３３の上面はソファ面３３ｍにより構成されており、天壁要素３３２は、ソファ面３３ｍを構成するクッション体３３７のみにより構成されている。このクッション体３３７は、下方に開口した扁平箱型の芯材３３８と、この芯材３３８の上面及び周面に添接させた図示しないクッション材と、このクッション材を被覆する張地３３９とを備えており、この張地３３９の上面がソファ面３３ｍを形成している。このクッション体３３７は周壁要素３３１に対して挿脱可能であり、装着時の位置決めは、周壁要素３３１の角部内面から上方に突設した位置決め突起３３ｔをクッション体３３７の芯材３３８の角部内面３３８ａに嵌合させることにより行われている。このモジュール家具３３の幅寸法は２モジュール（２Ｍ）に、また奥行き寸法は１モジュール（Ｍ）にそれぞれ設定されている。また、このモジュール家具３３の高さ寸法は、周壁要素３３１の高さ寸法とクッション体３３７の高さ寸法とを加えた値であるが、周壁要素３３１の高さ寸法は前述した階段ピッチ寸法の３倍（３Ｈ）に設定されており、クッション体３３７の高さ寸法は階段ピッチ寸法（Ｈ）よりも若干小さな値に設定されている。なお、このモジュール家具３３の下面にはアジャスタ３３ａが設けられているため、その高さ寸法は微少な範囲で調節が可能である。さらに、このモジュール家具３３のクッション体３３７には、コンセント３３０が添接されている。具体的には、このコンセント３３０は、第１の縦列領域１ａの２段目のモジュール家具１２に備えられたものと同様のもので、周壁要素３３１の後枠材３３５に固定され、クッション体３３７の背面中央部に設けた凹陥部３３７ｘ内に配されている。このコンセント３３０の電源端子３３０ａ及びＵＳＢ端子３３０ｂは、クッション体３３７の上面（ソファ面３３ｍ）側に表出しており、上からこれら端子３３０ａ、３３０ｂに図示しないプラグを装着することができるようになっている。コンセント３３０に電力や通信信号を供給するケーブル３３ｃは、内部空間３３ｓを通してオフィス床面Ｆ等の上に垂下させてあり、そのオフィス床面Ｆに沿って必要な箇所に導かれている。内部空間３３ｓの底には、ケーブル３３ｃ等を接続するための図示しないコンセント等を配してもよい。
【００４５】
ここで、幅寸法の１モジュール（Ｍ）は、１人分の占有幅を考慮して定められた値である。奥行き寸法の１モジュール（Ｍ）は、着座者Ｐ１、Ｐ２の前を通行可能となるように考慮して定められた値である。そして、階段ピッチ寸法（Ｈ）は、２段目及び３段目からの視野を確保しつつ２段目及び３段目にアクセスしやすくなるように考慮して定められた値である。これらの値は、以上説明したものに限定されるものではなく、必要に応じて適宜変更可能である。
【００４６】
なお、各コンセント１２０、２１０、２３０、３１０、３３０から垂下されるケーブル１２ｃ、２１ｃ、２３ｃ、３１ｃ、３３ｃは、オフィス床面Ｆ等に沿って引き回されるものであり、例えば２段目のモジュール家具２２、３２の背面近傍を通して左右方向にも導かれる。ここで、図７及び図８において、２２４ｘは、ケーブル１２ｃ、２１ｃ、２３ｃ、３１ｃ、３３ｃを左右方向に挿通させるための切欠である。ケーブル１２ｃ、２１ｃ、２３ｃ、３１ｃ、３３ｃの引き回しは、モジュール家具１１〜３３の内部空間１１ｓ〜３３ｓを利用して行うことができるが、例えば、内部空間１１ｓ〜３３ｓに後述する防災キットＫなどを収納する場合には、ケーブル１２ｃ、２１ｃ、２３ｃ、３１ｃ、３３ｃを収納の邪魔にならない箇所、例えば枠材の上面等に配してもよい。
【００４７】
このメインユニット１を構成するモジュール家具１１〜１２、２１〜２３、３１〜３３同士は、以下のようにして連結される。
【００４８】
まず、各縦列領域１ａ〜１ｃ内において、互いに前後に隣接して配されたモジュール家具同士、すなわち各縦列領域１ａ〜１ｃの１段目のモジュール家具１１、２１、３１と２段目のモジュール家具１２、２２、３２と、及び２段目のモジュール家具２２、３２と３段目のモジュール家具２３、３３とは、その周壁要素１１１、１２１、２１１、２２１、２３１、３１１、３２１、３３１同士が下の連結具Ｊ１を介してそれぞれ連結されている。さらに、２段目のモジュール家具２２、３２と３段目のモジュール家具２３、３３とは、その周壁要素２２１、２３１、３２１、３３１同士が上の連結具Ｊ２を介してそれぞれ連結されている。図８に基づいて第２の縦列領域１ｂにおける２段目のモジュール家具２２と３段目のモジュール家具２３との接続を具体的に説明すれば、次の通りである。下の連結具Ｊ１は、対をなす起立部Ｊ１１と、これら起立部Ｊ１１の下端同士を剛結する底板部Ｊ１２とを一体に備えた上方に開口したコ字状のもので、これら対をなす起立部Ｊ１１により２段目のモジュール家具２２の周壁要素２２１の後枠材２２５と３段目のモジュール家具２３の周壁要素２３１の前枠材２３Ｆとを挟持した状態で前後に隣接する両モジュール家具２２、２３同士を連結している。この下の連結具Ｊ１は、後側の起立部Ｊ１１がモジュール家具２３の前枠材２３Ｆに予めビス止めされている。上の連結具Ｊ２は、ボルトＪ２１及びナットＪ２２により構成され、ボルトＪ２１を２段目のモジュール家具２２の後枠材２２５と３段目のモジュール家具２３の前面材２３３とに挿通させたもので、ナットＪ２２を緊締することにより２段目のモジュール家具２２と３段目のモジュール家具２３とを連結している。第３の縦列領域１ｃにおける２段目のモジュール家具３２と３段目のモジュール家具３３とも、これに準じた構造により連結されている。各縦列領域１ａ、１ｂ、１ｃに配された１段目のモジュール家具１１、２１、３１と２段目のモジュール家具１２、２２、３２とは、下の連結具Ｊ１のみを用いて連結されている。
【００４９】
また、各縦列領域１ａ〜１ｃにおいて最も後に位置し互いに左右に隣接するモジュール家具同士、すなわち第１の縦列領域１ａの２段目のモジュール家具１２と第２の縦列領域１ｂの３段目のモジュール家具２３と、及び第２の縦列領域１ｂの３段目のモジュール家具２３と第３の縦列領域１ｃの３段目のモジュール家具３３とは、その周壁要素１２１、２３１、３２１同士が下の連結具Ｊ１のみを介してそれぞれ連結されている。
【００５０】
なお、図６において、４はサイドテーブルである。このサイドテーブル４は、各モジュール家具１１〜１２、２１〜２３、３１〜３３とは独立したものであり、所望のモジュール家具１１〜１２、２１〜２３、３１〜３３のソファ面１２ｍ、２１ｍ、２３ｍ、３１ｍ、３３ｍ等に載置して使用するだけでなく、着座者が膝上に乗せて用いることもできる。各モジュール家具１１〜１２、２１〜２３、３１〜３３と独立した他の物品としては、着座者の背中に当てることができる図示しない背クッション等が考えられる。
【００５１】
＜サイド配置型のサブユニット２Ａ、２Ｂの構成＞
メインユニット１の正面視左側に隣接配置されるサイド配置型のサブユニット２Ａは、図１７に示すモジュール家具５１と、このモジュール家具５１に対して前後方向の寸法が異なるモジュール家具５３とを備えている。
【００５２】
図１７に示すモジュール家具５１は、ステップタイプのもので、図９に示すメインユニットの第１の縦列領域１ａの１段目のモジュール家具１１に準じた構成をなすものであり、図１、図２及び図６に示すように、その上面に形成された床面５１ｆがメインユニット１の最も低いモジュール家具すなわち１段目のモジュール家具１１、２１、３１の上面に連続している。このモジュール家具５１は、前後方向寸法が例えば２モジュール（２Ｍ）に設定されており、左右方向寸法は例えば０．７５モジュール（０．７５Ｍ）に設定されている。なお、このモジュール家具５１の下面にはアジャスタ５１ａが設けられているため、その高さ寸法は微少な範囲で調節が可能である。これらの値もこの実施形態におけるものに限定されるものでなく、適宜変更してよい。
【００５３】
このモジュール家具５１の後方に隣接するモジュール家具５３は、ステップタイプのもので、図１７に示すモジュール家具５１に準じた構成をなすものであり、図１及び図６に示すように、その上面に形成された床面５３ｆが図１７に示すモジュール家具５１の上面に形成された床面５１ｆに連続している。このモジュール家具５３は、前後方向寸法が例えば１．７５モジュール（１．７５Ｍ）に設定されており、左右方向寸法は例えば０．７５モジュール（０．７５Ｍ）に設定されている。これらの値もこの実施形態におけるものに限定されるものでなく、適宜変更してよい。
【００５４】
メインユニット１の正面視右側に隣接配置されるサイド配置型のサブユニット２Ｂは、図１７に示すモジュール家具５１と、図１８に示すモジュール家具５２とを備えている。
【００５５】
図１８に示すモジュール家具５２は、図１、図５及び図６に示すように、メインユニット１の最も高いモジュール家具すなわち３段目のモジュール家具２３、３３の上面（ソファ面２３ｍ、３３ｍ）よりも上方に延出した形態をなすガードウォールタイプのもので、メインユニット１の最も高いモジュール家具２３、３３のソファ面２３ｍ、３３ｍに着座している着座者の外側方への転落をガードする機能を備えている。このモジュール家具５２は、内部空間を包囲する周壁要素５２１と、内部空間の上面を塞ぐ蓋５２２とを備えたもので、蓋５２２を取り外すことにより内部空間に植物を植えたプランター等を収容できるようになっている。このモジュール家具５２の前後方向寸法は例えば１．７５モジュール（１．７５Ｍ）に設定されており、左右方向寸法は例えば０．７５モジュール（０．７５Ｍ）に設定されている。そして、このモジュール家具５２の高さ寸法は、周りからイベントが見えるようにすべく、例えば１０００ｍｍ、すなわち階段ピッチ寸法の４倍（４Ｈ）に設定されている。なお、このモジュール家具５２の下面にはアジャスタ５２ａが設けられているため、その高さ寸法は微少な範囲で調節が可能である。これらの値もこの実施形態におけるものに限定されるものでなく、適宜変更してよい。
【００５６】
＜バック配置型のサブユニット３の構成＞
メインユニット１の背面に隣接配置されるバック配置型のサブユニット３は、図１９に示すモジュール家具６１と、図２０に示すモジュール家具６２と、図２１に示すモジュール家具６３とを備えている。
【００５７】
図１９に示すモジュール家具６１は、前方を向いて使用可能なキッチンタイプのもので、左右の脚６１１間に天板６１２を架設しその天板６１２の反使用端側に背板６１３を設けてなる。この天板６１２上にはコーヒーメーカーなどを載置して使用されるものであり、背板６１３には図示しない床からの電源用のケーブルを天板上に導くための図示しない配線挿通路と、この配線挿通路を外部に連通させるための配線挿通口６１４とが設けられている。このモジュール家具６１はメインユニット１の第１の縦列領域１ａの後方に配されており、その左右方向寸法は例えば２モジュール（２Ｍ）に、また前後方向寸法は例えば０．７５モジュール（０．７５Ｍ）にそれぞれ設定されている。このモジュール家具６１の左右方向位置はメインユニット１の第１の縦列領域１ａと一致させてある。そして、このモジュール家具６１の高さ寸法は、周りからイベントが見えるようにすべく、例えば１０００ｍｍに設定されている。すなわち、背板６１３の上端部は天板６１２上面よりも上方に延出させてあり、このモジュール家具６１の上端６１ｕ（背板６１３の上端）とオフィス床面Ｆとの距離が例えば１０００ｍｍ（階段ピッチ寸法の４倍（４Ｈ））に設定されている。なお、このモジュール家具６１の下面にはアジャスタ６１ａが設けられているため、その高さ寸法は微少な範囲で調節が可能である。これらの値もこの実施形態におけるものに限定されるものでなく、適宜変更してよい。このモジュール家具６１は、図１及び図６に示すように、メインユニット１の最も高いモジュール家具すなわち３段目のモジュール家具２３、３３の上面（ソファ面２３ｍ、３３ｍ）よりも上方、かつ第１の縦列領域１ａの２段目のモジュール家具１２の上面（ソファ面１２ｍ）よりも上方に延出した形態をなすガードウォールタイプのもので、メインユニット１の最も高いモジュール家具２３のソファ面２３ｍ、及びに第１の縦列領域１ａにおける最も高いモジュール家具すなわち２段目のモジュール家具１２のソファ面１２ｍにある着座している着座者の後方への転落をガードする機能をも備えている。
【００５８】
図２０に示すモジュール家具６２は、前方を向いて使用可能なカウンタタイプのもので、支持構造体６２１により天板６２２を支持してなる。支持構造体６２１は、幕板６２３と、この幕板６２３の前方に配された上下の枠材６２４、６２５と、これら枠材６２４、６２５と幕板６２３との間に設けられ幕板６２３に直交する複数枚の平行な中板６２６と、上の枠材６２４上に配設された天板６２２と同一の幅寸法を有する可動背板６２７とを備えている。このモジュール家具６２はメインユニット１の第２の縦列領域１ｂの後方に配されており、そのモジュール家具６２の左右方向寸法は例えば３モジュール（３Ｍ）に、また前後方向寸法は例えば０．７５モジュール（０．７５Ｍ）にそれぞれ設定されている。このモジュール家具６２の左右方向位置はメインユニット１の第２の縦列領域１ｂと一致させてある。このモジュール家具６２の高さ寸法、換言すれば天板面６２２ａとオフィス床面Ｆとの距離は、周りからイベントが見えるようにすべく、例えば１０００ｍｍ（階段ピッチ寸法の４倍（４Ｈ））に設定されている。なお、このモジュール家具６２の下面にはアジャスタ６２ａが設けられているため、その高さ寸法は微少な範囲で調節が可能である。これらの値もこの実施形態におけるものに限定されるものでなく、適宜変更してよい。このモジュール家具６２も、図１、図５及び図６に示すように、メインユニット１の最も高いモジュール家具すなわち３段目のモジュール家具２３、３３の上面（ソファ面２３ｍ、３３ｍ）よりも上方に延出した形態をなすガードウォールタイプのもので、メインユニット１の最も高いモジュール家具２３、３３のソファ面２３ｍ、３３ｍに着座している着座者の後方への転落をガードする機能を備えている。すなわち、このモジュール家具６２の可動背板６２７が前方に露出してガードウォールとしての役割をなしている。なお、このモジュール家具６２の下の枠材６２５と第２の縦列領域１ｂにおける３段目のモジュール家具２３の後枠材２３５とが上下の連結具Ｊ１、Ｊ２により連結されている。
【００５９】
図２１に示すモジュール家具６３は、前方を向いて使用可能なカウンタタイプのもので、支持構造体６３１により天板６３２を支持してなる。支持構造体６３１は、幕板６３３と、この幕板６３３の前方に配された上下の枠材６３４、６３５と、これら枠材６３４、６３５と幕板６３３との間に設けられ幕板６３３に直交する複数枚の平行な中板６３６と、上の枠材６３４上に配設された天板６３２と同一の幅寸法を有する可動背板６３７とを備えている。ここで、上の枠材６３４は、天板６３２と同一の幅寸法を有する板状のものであり、背面が可動背板６３７の背面と面一に連続している。このモジュール家具６３の左右方向寸法は例えば２モジュール（２Ｍ）に設定されており、前後方向寸法は例えば０．７５モジュール（０．７５Ｍ）に設定されている。このモジュール家具６３の左右方向位置はメインユニット１の第３の縦列領域１ｃと一致させてある。そして、このモジュール家具６３の高さ寸法、換言すれば天板面６３２ａとオフィス床面Ｆとの距離は、周りからイベントが見えるようにすべく、例えば１０００ｍｍ（階段ピッチ寸法の４倍（４Ｈ））に設定されている。なお、このモジュール家具６３の下面にはアジャスタ６３ａが設けられているため、その高さ寸法は微少な範囲で調節が可能である。これらの値もこの実施形態におけるものに限定されるものでなく、適宜変更してよい。このモジュール家具６３も、図１及び図６に示すように、メインユニット１の最も高いモジュール家具すなわち３段目のモジュール家具２３、３３の上面（ソファ面２３ｍ、３３ｍ）よりも上方に延出した形態をなすガードウォールタイプのもので、メインユニット１の最も高いモジュール家具２３、３３のソファ面２３ｍ、３３ｍに着座している着座者の後方への転落をガードする機能を備えている。すなわち、このモジュール家具６３の可動背板６３７が前方に露出してガードウォールとしての役割をなしている。なお、このモジュール家具６３の下の枠材６３５と第３の縦列領域１ｃにおける３段目のモジュール家具３３の後枠材３３５とが上下の連結具Ｊ１、Ｊ２により連結されている。
【００６０】
以上説明したモジュール家具同士の連結に使用される下の連結具Ｊ１及び上の連結具Ｊ２はそれぞれ同じ構成のものであるため、同一の符号を付して説明を省略する。
【００６１】
＜家具システム全体＞
本実施形態の家具システムＳは、以上説明したようにオフィスのフロア等における中央領域に配置されるセンター設置形態の一例を示すもので、イベントの中心となる家具として好適なものであり、後からでも気軽に参加できるように工夫されている。すなわち、この実施形態の家具システムＳは、階段状に配されたメインシステム１の床面１１ｆ、２１ｆ、２２ｆ、３２ｆ上を自由に上り下りして所望のソファ面１２ｍ、２１ｍ、２３ｍ、３ｍ、３３ｍに着座することができ、前列の着座者Ｐ１と後列の着座者Ｐ２とが良好な関係を保ちながら前方で催されているイベント等に参加することができる。この際、メインシステム１の左右にはサイド配置型のサブシステム２、具体的にはステップタイプのモジュール家具５１、５３が配置されており、そのモジュール家具５１、５３の床面がメインシステム１の１段目のモジュール家具１１、２１の床面１１ｆ、２１ｆと連続しているため、前方のみならず側方からでもメインシステム１の床面上に自由にアクセスすることができる。また、メインシステム１の背面にはバック配置型のサブシステム３、具体的にはキッチンタイプ及びカウンタタイプのモジュール家具６１〜６３が配置されているため、気軽にキッチンタイプのモジュール家具６１やカウンタタイプのモジュール家具６２、６３に近づいてきた部外者Ｐ３も自然に前方を向くように誘導され、そのイベントに興味を持つことや参加することが可能となる。換言すれば、本家具システムＳによれば、周りからイベントの様子が見え、気軽にそのイベントに参加できる仕組み作りに貢献することができる。
【００６２】
また、かかる家具システムＳはイベントや会議等に用いられるだけでなく、山なりのソファに止まり木のように人が集まってフラットなコミュニケーションが生まれるような普段使いも想定されており、その目的を十分に達することもできる。
【００６３】
しかも、この家具システム１は、複数のモジュール家具１１〜１２、２１〜２３、３１〜３３、５１〜５３、６１〜６３を適宜組み合わせて構築することができるものであるため、造作のための内装工事に頼らないインフラ環境や空間演出の仕掛けを迅速に作り上げることができる。そのため、組み替えや設置場所の変更等に容易に対応することができる。特にこの実施形態では、相互に高さ寸法、幅寸法及び奥行寸法が異なるモジュール家具１１〜１２、２１〜２３、３１〜３３、５１〜５３、６１〜６３を段状に組み合わせるようにしているので、多様な形態の家具システムを自在に構築することができる。
【００６４】
さらに、図６に示すように、ソファ面１２ｍ、２１ｍ、２３ｍ、３１ｍ、３３ｍを構成するクッション体１２７、２１７、２３７、３１７、３３７を挿脱可能に設けているため、各モジュール家具１２、２１、２３、３１、３３の内部空間１２ｓ、２１ｓ、２３ｓ、３１ｓ、３３ｓを上方に開放することができる。そのため、組立時や配線時にはその内部空間１２ｓ、２１ｓ、２３ｓ、３１ｓ、３３ｓに作業者が入り込んで作業を進めることができる。また、組み立て後においては各モジュール家具１２、２１、２３、３１、３３、特に背の高い２段目や３段目のモジュール家具１２、２３、３３に防災備蓄収納機能等を持たせることが可能になる。具体的には、３段目のモジュール家具２３、３３の収納空間２３ｓ、３３ｓに例えば防災キットＫ等を収納しておくことも可能になる。
【００６５】
また、図１及び図３に示すように、電力系や通信系の端子を有するコンセント１２０、２１０、２３０、３１０、３３０をソファタイプのモジュール家具１２、２１、２３、３１、３３におけるクッション体１２７、２１７、２３７、３１７、３３７に添設しているため、例えば前向きの段部端面にコンセントを設ける場合に比べて外観を良好なものにすることができる。特にこの実施形態では、クッション体１２７、２１７、２３７、３１７、３３７の後縁部分にコンセント１２０、２１０、２３０、３１０、３３０が上向きに露出するようになっているため、コンセント１２０、２１０、２３０、３１０、３３０が目立たないだけでなく使い勝手も良好なものとなる。
【００６６】
さらに、この実施形態では、最も高くなる３段目のモジュール家具２３、３３の上面をすべてソファ面２３ｍ、３３ｍにしているため、メインシステム１の最上段を使用者が歩くのを防止することができ、安全性を高めることができる。
【００６７】
≪その他の実施形態≫
なお、本発明は以上説明した第一の実施形態に限定されるものではなく、下記に示すとおり、種々の形態で実施することができる。
【００６８】
図２２に示す家具システムＳ２は、壁面設置タイプのもので、背面をオフィスの壁面Ｗに添接させたメインユニットＢ１と、このメインユニットＢ１の左右両側面に隣接させて配したサイド配置型のサブユニットＢ２Ａ、Ｂ２Ｂとを具備してなる。
【００６９】
図２２は、図３に対応する家具システム全体Ｓ２の平面図である。この家具システムＳ２のメインユニットＢ１は、第１〜第４の縦列領域Ｂ１ａ〜Ｂ１ｄを備えたものである。第１の縦列領域Ｂ１ａには、最前列に配設される図１４に示す１段目のモジュール家具３１と、このモジュール家具３１の後に隣接配置される図１５に示す２段目のモジュール家具３２と、このモジュール家具３２の後に隣接配置される図１６に示す３段目のモジュール家具３３とが配されている。第２の縦列領域Ｂ１ｂには、最前列に配設される図１１に示すモジュール家具２１と左右対称形状をなす１段目のモジュール家具２４と、このモジュール家具２４の後に隣接配置される図１２に示す２段目のモジュール家具２２と、このモジュール家具２２の後に隣接配置される図１３に示す３段目のモジュール家具２３とが配されている。第３の縦列領域Ｂ１ｃには、最前列に配設される図１１に示す１段目のモジュール家具２１と、このモジュール家具２１の後に隣接配置される図１２に示す２段目のモジュール家具２２と、このモジュール家具２２の後に隣接配置される図１３に示す３段目のモジュール家具２３とが配されている。第４の縦列領域Ｂ１ｄには、最前列に配設される図１４に示す１段目のモジュール家具３１と、このモジュール家具３１の後に隣接配置される図１５に示す２段目のモジュール家具３２と、このモジュール家具３２の後に隣接配置される図１６に示す３段目のモジュール家具３３とが配されている。一方、メインユニットＢ１の左側面に隣接させて配したサイド配置型のサブユニットＢ２Ａは、図１７に示すモジュール家具５１と、図１８に示すモジュール家具５２に対して前後方向の寸法が異なるモジュール家具５４とを備えている。そして、メインユニットＢ１の右側面に隣接させて配したサイド配置型のサブユニットＢ２Ｂは、図１７に示すモジュール家具５１と、このモジュール家具５１に対して前後方向の寸法が異なるモジュール家具５５とを備えている。
【００７０】
図２３に示す家具システムＳ３は、メインユニットＣ１の両側面に手摺タイプのサイド配置型のサブユニット７をそれぞれ配したものである。メインユニットＣ１は、複数のモジュール家具を組み合わせて段状に構成したものであり、詳細な説明は省略する。手摺タイプのサブユニット７は、ベース７１と、ベース７１から起立させた支柱７２と、支柱７２の上端間に設けた手摺本体７３とを備えたものであり、その前端７ａはメインユニットＣ１の前端Ｃ１ａ近傍に位置させてある。
【００７１】
図２４に示す家具システムＳ４は、図２３に示す家具システムＳ３と同様に、メインユニットＤ１の両側面に手摺タイプのサイド配置型のサブユニット８をそれぞれ配したものである。このサブユニット８は、メインユニットＤ１の３段目と略同一の高さ寸法を有するローパーティション８１と、このローパーティション８１の上端に設けられた手摺８２とを具備してなるもので、その前端８ａはメインユニットＤ１の２段目の前端Ｄ１ａ付近に位置させてある。
【００７２】
図２５に示す家具システムＳ５は、メインユニットＥ１の両側面に隣接されたローパーティションタイプのサイド配置型のサブユニット９１と、メインユニットＥ１の背面に隣接されたローパーティションタイプのバック配置型のサブユニット９２とをそれぞれ配したものである。サイド配置型のサブユニット９１とバック配置型のサブユニット９２とは相互に接続されており、メインユニットＥ１の両側面及び背面を囲う形態をなしている。なお、このローパーティションタイプのサブユニット９１、９２の高さ寸法は、その上縁９１ａ、９２ａがメインユニットＥ１の最も高いソファ面Ｅ１ｍよりも上方に位置し、かつ家具システムＳ５近傍を通行した者がメインユニットＥ１をのぞき込める程度の値に設定されている。
【００７３】
また、メインユニット及びサブユニットを構成するモジュール家具の構成も以上説明したものに限定されるものではなく、種々変形が可能である。例えば、図２６に示すモジュール家具Ｋ１は、床面Ｋ１ｆを有し幅寸法及び奥行き寸法がともに１モジュール（Ｍ）に設定されたものである。なお、このモジュール家具Ｋ１は、図９に示すモジュール家具１１に準じる構成を有しており、対応する箇所には図９における符号の先頭の１をＫに変えた符号を付して説明を省略する。図２７に示すモジュール家具Ｋ２は、ソファ面Ｋ２ｍを有し幅寸法及び奥行き寸法がともに１モジュール（Ｍ）に設定されたものである。なお、このモジュール家具Ｋ１は、図１４に示すモジュール家具３１に準じる構成を有しており、対応する箇所には図１３における符号の先頭２桁の３１をＫ２に変えた符号を付して説明を省略する。図２８に示すモジュール家具Ｋ３は、例えば図１８に説明したプランターを収容できるモジュール家具５２と同一の外法寸法を有したものであり、サイド配置型のサブユニットを構成する家具として主に用いられる、シェルフタイプのものである。モジュール家具は、以上説明した構造のものだけでなく、幅寸法が異なったモジュール寸法に設定された種々の形態のものも考えられる。
【００７４】
さらに、モジュール家具同士を上下に積み上げてメインユニット等を構築するものも本発明には含まれている。例えば、前述したクッション体と同様な形態を有する独立したモジュール家具を加えておき、そのソファ状のモジュール家具を他のモジュール家具の床面上に自由に配置して使用する等、種々の態様が考えられる。
【００７５】
その他、上面が床面及びソファ面のいずれでもない、例えば天板面であるモジュール家具や、内部空間を有しない中実なモジュール家具を採用する等、本発明の趣旨を損ねない範囲で種々に変形してよい。
【符号の説明】
【００７６】
Ｓ、Ｓ２〜Ｓ５…家具システム
１、Ｂ１〜Ｅ１…段状のユニット（メインユニット）
１１、１２、２１〜２３、３１〜３３…モジュール家具
１１ｆ、２１ｆ、２２ｆ、３２ｆ…床面
１２ｍ、２１ｍ、２３ｍ、３１ｍ、３３ｍ…ソファ面
１１ｓ、１２ｓ、２１ｓ〜２３ｓ、３１ｓ〜３３ｓ…内部空間
１１１、１２１、２１１、２２１、２３１、３１１、３２１、３３１…周壁要素
１１２、１２２、２１２、２２２、２３２、３１２、３２２、３３２…天壁要素
１１６、２１６、２２６、３２６…床板
１２７、２１７、２３７、３１７、３３７…クッション体
１２０、２１０、２３０、３１０、３３０…コンセント
２Ａ、２Ｂ、Ｂ２Ａ、Ｂ２Ｂ、７、８、９１、９２…サブユニット
５１、５３、５５…ステップタイプのモジュール家具
５２、５４、６１〜６３…ガードウォールタイプのモジュール家具
６１…キッチンタイプのモジュール家具
６２、６３…カウンタタイプのモジュール家具
７、８…手摺タイプのサブユニット
９１、９２…ローパーティションタイプのサブユニット
【図１】
2020039823.tif 000003
【図２】
2020039823.tif 000004
【図３】
2020039823.tif 000005
【図４】
2020039823.tif 000006
【図５】
2020039823.tif 000007
【図６】
2020039823.tif 000008
【図７】
2020039823.tif 000009
【図８】
2020039823.tif 000010
【図９】
2020039823.tif 000011
【図１０】
2020039823.tif 000012
【図１１】
2020039823.tif 000013
【図１２】
2020039823.tif 000014
【図１３】
2020039823.tif 000015
【図１４】
2020039823.tif 000016
【図１５】
2020039823.tif 000017
【図１６】
2020039823.tif 000018
【図１７】
2020039823.tif 000019
【図１８】
2020039823.tif 000020
【図１９】
2020039823.tif 000021
【図２０】
2020039823.tif 000022
【図２１】
2020039823.tif 000023
【図２２】
2020039823.tif 000024
【図２３】
2020039823.tif 000025
【図２４】
2020039823.tif 000026
【図２５】
2020039823.tif 000027
【図２６】
2020039823.tif 000028
【図２７】
2020039823.tif 000029
【図２８】
2020039823.tif 000030